(57)【特許請求の範囲】
【請求項１】
移動局のための方法であって、
前記方法は、
ネットワークに、移動局能力情報要素を送信することであって、前記移動局能力情報要素は、ダウンリンクデュアルキャリア（ＤＬＤＣ）非拡張フレキシブルタイムスロット割当（非ＥＦＴＡ）動作モードのためのタイムスロットフィールドの第１の減少と、ダウンリンクデュアルキャリア（ＤＬＤＣ）拡張フレキシブルタイムスロット割当（ＥＦＴＡ）動作モードのためのタイムスロットフィールドの第２の減少とを含む、こと
を含む、方法。
【請求項２】
前記ダウンリンクデュアルキャリア非拡張フレキシブルタイムスロット割当動作モードのためのタイムスロットフィールドの第１の減少は、ダウンリンクデュアルキャリアフィールドのためのマルチスロット能力減少であり、前記ダウンリンクデュアルキャリア拡張フレキシブルタイムスロット割当動作モードのためのタイムスロットフィールドの第２の減少は、ダウンリンクデュアルキャリアフィールドのためのＥＦＴＡマルチスロット能力減少である、請求項１に記載の方法。
【請求項３】
前記ダウンリンクデュアルキャリアフィールドのためのＥＦＴＡマルチスロット能力減少は、受信タイムスロットの最大数より少ない少なくとも１つのタイムスロットに対応する値を含む、請求項２に記載の方法。
【請求項４】
前記受信タイムスロットの最大数は、前記移動局能力情報要素内に含まれる代替ＥＦＴＡマルチスロットクラスに対応する、請求項３に記載の方法。
【請求項５】
前記移動局能力情報要素は、ＭＳ無線アクセス能力情報要素である、請求項４に記載の方法。
【請求項６】
前記ＭＳ無線アクセス能力情報要素に従って、前記ネットワークと通信することを含む、請求項５に記載の方法。
【請求項７】
前記移動局は、ＤＬＤＣ対応およびＥＦＴＡ対応である、請求項６に記載の方法。
【請求項８】
ハードウェアおよび有形コンピュータ可読媒体上に記憶されるソフトウェアを含む移動局であって、前記ハードウェアおよびソフトウェアは、動作の間、前記移動局に、少なくとも、
ネットワークに、移動局能力情報要素を送信することであって、前記移動局能力情報要素は、ダウンリンクデュアルキャリア（ＤＬＤＣ）非拡張フレキシブルタイムスロット割当（非ＥＦＴＡ）動作モードのためのタイムスロットフィールドの第１の減少と、ダウンリンクデュアルキャリア（ＤＬＤＣ）拡張フレキシブルタイムスロット割当（ＥＦＴＡ）動作モードのためのタイムスロットフィールドの第２の減少とを含む、こと
を行わせる、移動局。
【請求項９】
前記ダウンリンクデュアルキャリア非拡張フレキシブルタイムスロット割当動作モードのためのタイムスロットフィールドの第１の減少は、ダウンリンクデュアルキャリアフィールドのためのマルチスロット能力減少であり、前記ダウンリンクデュアルキャリア拡張フレキシブルタイムスロット割当動作モードのためのタイムスロットフィールドの第２の減少は、ダウンリンクデュアルキャリアフィールドのためのＥＦＴＡマルチスロット能力減少である、請求項８に記載の移動局。
【請求項１０】
前記ダウンリンクデュアルキャリアフィールドのためのＥＦＴＡマルチスロット能力減少は、受信タイムスロットの最大数より少ない少なくとも１つのタイムスロットに対応する値を含む、請求項９に記載の移動局。
【請求項１１】
前記受信タイムスロットの最大数は、前記移動局能力情報要素内に含まれる代替ＥＦＴＡマルチスロットクラスに対応する、請求項１０に記載の移動局。
【請求項１２】
前記移動局能力情報要素は、ＭＳ無線アクセス能力情報要素である、請求項１１に記載の移動局。
【請求項１３】
前記ハードウェアまたは前記有形コンピュータ可読媒体上に記憶される前記ソフトウェアのうちの少なくとも１つは、動作の間、前記移動局に、前記ＭＳ無線アクセス能力情報要素に従って、前記ネットワークと通信させる、請求項１２に記載の移動局。
【請求項１４】
前記移動局は、ＤＬＤＣ対応およびＥＦＴＡ対応である、請求項１３に記載の移動局。
【請求項１５】
命令を記憶する有形コンピュータ可読媒体であって、前記命令は、実行されると、機械に、少なくとも、
ネットワークに、移動局能力情報要素を送信することであって、前記移動局能力情報要素は、ダウンリンクデュアルキャリア（ＤＬＤＣ）非拡張フレキシブルタイムスロット割当（非ＥＦＴＡ）動作モードのためのタイムスロットフィールドの第１の減少と、ダウンリンクデュアルキャリア（ＤＬＤＣ）拡張フレキシブルタイムスロット割当（ＥＦＴＡ）動作モードのためのタイムスロットフィールドの第２の減少とを含む、こと
を行わせる、有形コンピュータ可読媒体。
【請求項１６】
前記ダウンリンクデュアルキャリア非拡張フレキシブルタイムスロット割当動作モードのためのタイムスロットフィールドの第１の減少は、ダウンリンクデュアルキャリアフィールドのためのマルチスロット能力減少であり、前記ダウンリンクデュアルキャリア拡張フレキシブルタイムスロット割当動作モードのためのタイムスロットフィールドの第２の減少は、ダウンリンクデュアルキャリアフィールドのためのＥＦＴＡマルチスロット能力減少である、請求項１５に記載のコンピュータ可読媒体。
【請求項１７】
前記ダウンリンクデュアルキャリアフィールドのためのＥＦＴＡマルチスロット能力減少は、受信タイムスロットの最大数より少ない少なくとも１つのタイムスロットに対応する値を含む、請求項１６に記載のコンピュータ可読媒体。
【請求項１８】
前記受信タイムスロットの最大数は、前記移動局能力情報要素内に含まれる代替ＥＦＴＡマルチスロットクラスに対応する、請求項１７に記載のコンピュータ可読媒体。
【請求項１９】
前記移動局能力情報要素は、ＭＳ無線アクセス能力情報要素である、請求項１８に記載のコンピュータ可読媒体。
【請求項２０】
前記命令はさらに前記機械に、前記ＭＳ無線アクセス能力情報要素に従って、前記ネットワークと通信させる、請求項１９に記載のコンピュータ可読媒体。
【請求項２１】
前記移動局は、ＤＬＤＣ対応およびＥＦＴＡ対応である、請求項２０に記載のコンピュータ可読媒体。
【請求項２２】
ネットワークデバイスのための方法であって、
前記方法は、
移動局能力情報要素を受信することであって、前記移動局能力情報要素は、ダウンリンクデュアルキャリア（ＤＬＤＣ）非拡張フレキシブルタイムスロット割当（非ＥＦＴＡ）動作モードのためのタイムスロットフィールドの第１の減少と、ダウンリンクデュアルキャリア（ＤＬＤＣ）拡張フレキシブルタイムスロット割当（ＥＦＴＡ）動作モードのためのタイムスロットフィールドの第２の減少とを含む、こと
を含む、方法。
【請求項２３】
前記ダウンリンクデュアルキャリア非拡張フレキシブルタイムスロット割当動作モードのためのタイムスロットフィールドの第１の減少は、ダウンリンクデュアルキャリアフィールドのためのマルチスロット能力減少であり、前記ダウンリンクデュアルキャリア拡張フレキシブルタイムスロット割当動作モードのためのタイムスロットフィールドの第２の減少は、ダウンリンクデュアルキャリアフィールドのためのＥＦＴＡマルチスロット能力減少である、請求項２２に記載の方法。
【請求項２４】
前記ダウンリンクデュアルキャリアフィールドのためのＥＦＴＡマルチスロット能力減少は、受信タイムスロットの最大数より少ない少なくとも１つのタイムスロットに対応する値を含む、請求項２３に記載の方法。
【請求項２５】
前記受信タイムスロットの最大数は、前記移動局能力情報要素内に含まれる代替ＥＦＴＡマルチスロットクラスに対応する、請求項２４に記載の方法。
【請求項２６】
前記移動局能力情報要素は、ＭＳ無線アクセス能力情報要素である、請求項２５に記載の方法。
【請求項２７】
前記ＭＳ無線アクセス能力情報要素に従って、前記移動局と通信することを含む、請求項２６に記載の方法。
【請求項２８】
前記移動局は、ＤＬＤＣ対応およびＥＦＴＡ対応である、請求項２７に記載の方法。
【請求項２９】
ハードウェアおよび有形コンピュータ可読媒体上に記憶されるソフトウェアを含むネットワークデバイスであって、前記ハードウェアおよびソフトウェアは、動作の間、前記移動局に、少なくとも、
移動局能力情報要素を受信することであって、前記移動局能力情報要素は、ダウンリンクデュアルキャリア（ＤＬＤＣ）非拡張フレキシブルタイムスロット割当（非ＥＦＴＡ）動作モードのためのタイムスロットフィールドの第１の減少と、ダウンリンクデュアルキャリア（ＤＬＤＣ）拡張フレキシブルタイムスロット割当（ＥＦＴＡ）動作モードのためのタイムスロットフィールドの第２の減少とを含む、こと
を行わせる、ネットワークデバイス。
【請求項３０】
前記ダウンリンクデュアルキャリア非拡張フレキシブルタイムスロット割当動作モードのためのタイムスロットフィールドの第１の減少は、ダウンリンクデュアルキャリアフィールドのためのマルチスロット能力減少であり、前記ダウンリンクデュアルキャリア拡張フレキシブルタイムスロット割当動作モードのためのタイムスロットフィールドの第２の減少は、ダウンリンクデュアルキャリアフィールドのためのＥＦＴＡマルチスロット能力減少である、請求項２９に記載のネットワークデバイス。
【請求項３１】
前記ダウンリンクデュアルキャリアフィールドのためのＥＦＴＡマルチスロット能力減少は、受信タイムスロットの最大数より少ない少なくとも１つのタイムスロットに対応する値を含む、請求項３０に記載のネットワークデバイス。
【請求項３２】
前記受信タイムスロットの最大数は、前記移動局能力情報要素内に含まれる代替ＥＦＴＡマルチスロットクラスに対応する、請求項３１に記載のネットワークデバイス。
【請求項３３】
前記移動局能力情報要素は、ＭＳ無線アクセス能力情報要素である、請求項３２に記載のネットワークデバイス。
【請求項３４】
前記ＭＳ無線アクセス能力情報要素に従って、前記移動局と通信することを含む、請求項３３に記載のネットワークデバイス。
【請求項３５】
前記移動局は、ＤＬＤＣ対応およびＥＦＴＡ対応である、請求項３４に記載のネットワークデバイス。
【請求項３６】
命令を記憶する有形コンピュータ可読媒体であって、前記命令は、実行されると、機械に、少なくとも、
移動局能力情報要素を受信することであって、前記移動局能力情報要素は、ダウンリンクデュアルキャリア（ＤＬＤＣ）非拡張フレキシブルタイムスロット割当（非ＥＦＴＡ）動作モードのためのタイムスロットフィールドの第１の減少と、ダウンリンクデュアルキャリア（ＤＬＤＣ）拡張フレキシブルタイムスロット割当（ＥＦＴＡ）動作モードのためのタイムスロットフィールドの第２の減少とを含む、こと
を行わせる、有形コンピュータ可読媒体。
【請求項３７】
前記ダウンリンクデュアルキャリア非拡張フレキシブルタイムスロット割当動作モードのためのタイムスロットフィールドの第１の減少は、ダウンリンクデュアルキャリアフィールドのためのマルチスロット能力減少であり、前記ダウンリンクデュアルキャリア拡張フレキシブルタイムスロット割当動作モードのためのタイムスロットフィールドの第２の減少は、ダウンリンクデュアルキャリアフィールドのためのＥＦＴＡマルチスロット能力減少である、請求項３６に記載のコンピュータ可読媒体デバイス。
【請求項３８】
前記ダウンリンクデュアルキャリアフィールドのためのＥＦＴＡマルチスロット能力減少は、受信タイムスロットの最大数より少ない少なくとも１つのタイムスロットに対応する値を含む、請求項３７に記載のコンピュータ可読媒体デバイス。
【請求項３９】
前記受信タイムスロットの最大数は、前記移動局能力情報要素内に含まれる代替ＥＦＴＡマルチスロットクラスに対応する、請求項３８に記載のコンピュータ可読媒体デバイス。
【請求項４０】
前記移動局能力情報要素は、ＭＳ無線アクセス能力情報要素である、請求項３９に記載のコンピュータ可読媒体デバイス。
【請求項４１】
前記ＭＳ無線アクセス能力情報要素に従って、前記移動局と通信することを含む、請求項４０に記載のコンピュータ可読媒体デバイス。
【請求項４２】
前記移動局は、ＤＬＤＣ対応およびＥＦＴＡ対応である、請求項４１に記載のコンピュータ可読媒体デバイス。
【発明の詳細な説明】
【技術分野】
【０００１】
（関連出願の引用）
本願は、２０１０年５月１４日に出願され、ＳＹＳＴＥＭ  ＡＭＤ  ＭＥＴＨＯＤ  ＦＯＲ  ＭＯＢＩＬＥ  ＣＯＭＭＵＮＩＣＡＴＩＯＮＳと題された、欧州特許出願第１０３０５５１２．５の利益および該欧州特許出願に対する優先権を主張するものである。
【０００２】
上記特許出願の内容は、参照により、本明細書の詳細な説明の中に明示的に組み込まれる。
【０００３】
（技術分野）
以下は、モバイル通信のためのシステムおよび方法に関する。
【背景技術】
【０００４】
モバイルデバイスのためのデータ伝送レートは、一部には、ネットワークの発展によって、増加している。そのような発展の１つは、拡張ＧＰＲＳ（ＥＧＰＲＳ）としても知られる、ＧＳＭ（登録商標）進化型高速データレート（ＥＤＧＥ）である。これは、標準的モバイル通信用グローバルシステム（ＧＳＭ（登録商標））に加えた拡張として、改良されたデータ伝送レートを可能にする、上位互換性のあるデジタル携帯電話技術である。
【０００５】
ＧＳＭ（登録商標）およびＥＤＧＥ両方の別のアップグレードとして、ＥＤＧＥエボリューション、すなわち、進化型ＥＤＧＥの導入はさらに、データ伝送レートを増加させるであろう。進化型ＥＤＧＥのそのような特徴の１つは、モバイルデバイスに、２つの異なる周波数チャネル上で同時にデータを受信可能にし、ダウンリンクスループットを２倍にする、ダウンリンクデュアルキャリア（ＤＬＤＣ）である。
【発明の概要】
【課題を解決するための手段】
【０００６】
本明細書に開示される例示的移動局は、動作の間、移動局に、タイムスロットにおいて、移動局の第１の受信機を使用して、第１の周波数上のキャリアから、第１のデータを受信させ、第１の受信機が、そのタイムスロットの間、第１のデータを受信している間、第２の受信機を使用して、キャリアの第２の周波数を同調させ、そのタイムスロット直後の異なるタイムスロットの間、第２の受信機を使用して、第２の周波数上のキャリアから、第２のデータを受信させる、ハードウェアおよび有形コンピュータ可読媒体上に記憶されるソフトウェアを含む。
【０００７】
いくつかの実装では、ハードウェアおよびソフトウェアはさらに、移動局に、２つの連続時分割多重アクセスフレームのそれぞれ内の全タイムスロット上でデータを受信させ、２つの時分割多重アクセスフレームのそれぞれの周波数は、異なる。移動局のいくつかの実装では、ハードウェアおよびソフトウェアはさらに、移動局に、同時に、第１の受信機が、第１のデータを受信している間、第２の受信機を使用して、近隣セル測定を行わせる。いくつかのそのような実装では、近隣セル測定は、時分割多重アクセスフレームのタイムスロットの間、行われる。
【０００８】
移動局のいくつかの実装では、ハードウェアおよびソフトウェアはさらに、移動局に、移動局が、高速ダウンリンク周波数切替をサポートするキャリアに、表示を伝送させる。いくつかの実装では、キャリアは、周波数ホッピングを使用する。いくつかの実装では、ハードウェアおよびソフトウェアはさらに、移動局に、第２の受信機が、異なるタイムスロットの間、第２のデータを受信している間、第１の受信機を使用して、キャリアの第３の周波数を同調させる。
【０００９】
別の例示的移動局は、動作の間、移動局に、通信セッションを通信ネットワークと確立させ、拡張フレキシブルタイムスロット割当のためのデュアルキャリア動作に対するマルチスロット減少を示す、要素を含む、移動局能力情報要素をネットワークに送信させる、ハードウェアおよび有形コンピュータ可読媒体上に記憶されるソフトウェアを含む。いくつかの実装では、拡張フレキシブルタイムスロット割当のためのデュアルキャリア動作に対するマルチスロット減少を示す、要素は、ダウンリンクデュアルキャリア情報要素のための拡張フレキシブルタイムスロット割当マルチスロット能力減少である。いくつかの実装では、デュアルキャリア動作は、ダウンリンクデュアルキャリア動作である。
【００１０】
いくつかの実装では、移動局能力情報要素はさらに、非拡張フレキシブルタイムスロット割当動作のためのデュアルキャリア動作に対するマルチスロット減少を示す、第２の要素を含む。移動局のいくつかの実装では、ハードウェアおよびソフトウェアは、移動局に、拡張フレキシブルタイムスロット割当のためのデュアルキャリア動作に対するマルチスロット減少を示す、要素を計算させる。
【００１１】
いくつかのそのような実装では、ハードウェアおよびソフトウェアは、移動局に、移動局の信号伝達されたマルチスロットクラスに対する受信タイムスロットの最大数を判定し、拡張フレキシブルタイムスロット割当の間、移動局によってサポートされる受信タイムスロットの最大数を判定し、拡張フレキシブルタイムスロット割当の間、移動局によってサポートされる受信タイムスロットの最大数を移動局の信号伝達されたマルチスロットクラスに対する受信タイムスロットの最大数から減算することにより、拡張フレキシブルタイムスロット割当のためのデュアルキャリア動作に対するマルチスロット減少を判定することによって、拡張フレキシブルタイムスロット割当のためのデュアルキャリア動作に対するマルチスロット減少を示す、要素を計算させる。
【００１２】
他の実装では、ハードウェアおよびソフトウェアは、移動局に、移動局の代替拡張フレキシブルタイムスロット割当マルチスロットクラスに対する受信タイムスロットの最大数を判定し、拡張フレキシブルタイムスロット割当の間、移動局によってサポートされる受信タイムスロットの最大数を判定し、拡張フレキシブルタイムスロット割当の間、移動局によってサポートされる受信タイムスロットの最大数を移動局の代替拡張フレキシブルタイムスロット割当マルチスロットクラスに対する受信タイムスロットの最大数から減算することにより、拡張フレキシブルタイムスロット割当のためのデュアルキャリア動作に対するマルチスロット減少を判定することによって、拡張フレキシブルタイムスロット割当のためのデュアルキャリア動作に対するマルチスロット減少を示す、要素を計算させる。
【００１３】
他の実装では、ハードウェアおよびソフトウェアは、移動局に、移動局の代替拡張フレキシブルタイムスロット割当マルチスロットクラスに対する受信タイムスロットの最大数を判定し、移動局の信号伝達されたマルチスロットクラスに対する受信タイムスロットの最大数を判定し、移動局によってサポートされる受信タイムスロットの最大数を判定し、拡張フレキシブルタイムスロット割当の間、移動局によってサポートされる受信タイムスロットの最大数を判定し、移動局によってサポートされる受信タイムスロットの最大数を移動局の信号伝達されたマルチスロットクラスに対する受信タイムスロットの最大数から減算することにより、減少値を判定し、減少値および拡張フレキシブルタイムスロット割当の間、移動局によってサポートされる受信タイムスロットの最大数を移動局の代替拡張フレキシブルタイムスロット割当マルチスロットクラスに対する受信タイムスロットの最大数から減算することにより、拡張フレキシブルタイムスロット割当のためのデュアルキャリア動作に対するマルチスロット減少を判定することによって、拡張フレキシブルタイムスロット割当のためのデュアルキャリア動作に対するマルチスロット減少を示す、要素を計算させる。
【００１４】
移動局のいくつかの実装では、ハードウェアおよびソフトウェアはさらに移動局に、移動局が、移動局の信号伝達されたマルチスロットクラスに対する受信タイムスロットの最大数より少なく受信可能である時、移動局能力情報要素から、拡張フレキシブルタイムスロット割当のためのデュアルキャリア動作に対するマルチスロット減少を示す、要素を省略させる。いくつかの実装では、ハードウェアおよびソフトウェアはさらに、移動局に、移動局能力情報要素から、拡張フレキシブルタイムスロット割当のためのデュアルキャリア動作に対するマルチスロット減少を示す、要素を省略させ、移動局が、移動局のための代替拡張フレキシブルタイムスロット割当クラスに対する受信タイムスロットの最大数を受信可能である時、将来利用のための予約されたダウンリンクデュアルキャリア値に対するマルチスロット減少を含ませる。
【００１５】
移動局の実装を実装するための方法および装置もまた、開示される。
【図面の簡単な説明】
【００１６】
次に、添付の図面を参照して、単なる一例として、実施形態を説明する。
【図１】図１は、２つの異なる無線周波数チャネル上でデータを交換する、モバイルデバイスを例証する、概略図である。
【図２】図２は、モバイルデバイスの例示的実施形態のブロック図である。
【図３】図３は、図２の高速ダウンリンク周波数切替モジュールを実装するために使用され得る、例示的プロセスを例証する、流れ図である。
【図４】図４は、例示的第１の受信機および第２の受信機の受信関係を例証する。
【図５】図５は、図２のＤＬＤＣ減少信号モジュールを実装するための例示的プロセスを例証する、流れ図である。
【図６】図６は、図２のＤＬＤＣ減少信号モジュールを実装するための例示的プロセスを例証する、流れ図である。
【発明を実施するための形態】
【００１７】
図１を参照すると、モバイルデバイス１０（例えば、移動局（ＭＳ））は、無線基地局１２と通信するように示される。モバイルデバイス１０は、無線ネットワークのそのような基地局１２のうちの１つ以上を通して、別のエンティティとデータ通信を交換可能である。無線データの交換は、点線によって例証される。
【００１８】
モバイルデバイス１０は、無線受信機機器１４および１６を利用可能である。無線受信機機器１４および１６は、いくつかの受信機構成要素を共有してもよい。代替として、無線受信機機器１４および１６は、２つの独立無線受信機であり得る。例証される実施例では、無線受信機機器１４および１６は、それぞれ、「Ｒ１」および「Ｒ２」と示される。無線受信機機器１４および１６によって、モバイルデバイス１０は、同時に、異なる周波数において、データを受信し、同時に、２つの異なる周波数に同調し、近隣セル測定を行い、および／またはこれらのプロシージャの任意の組み合わせを行うことが可能となる。例えば、ダウンリンクデュアルキャリア（ＤＬＤＣ）をサポートするネットワークの場合、ＤＬＤＣをサポートする、モバイルデバイス１０は、２つのキャリア（周波数）上で同時にデータを受信することができる。代替として、本明細書にさらに詳細に説明されるように、デュアル無線受信機機器１４および１６を含む、モバイルデバイス１０が、単一キャリアシステムと通信する時、モバイルデバイス１０は、デュアル無線受信機機器１４および１６を利用して、周波数ホッピングネットワークの存在下、通信レートを増加させてもよい。例えば、基地局１２が、キャリアのうちの１つ以上の時分割多重アクセス（ＴＤＭＡ）フレームにおいて、周波数ホッピングを使用する時、無線受信機機器１４は、データを受信するために使用されてもよく、ダウンリンクキャリアが、周波数をホッピングする前に、無線受信機機器１６は、次のフレーム受信の間、データを受信する準備をするように、次の周波数に同調してもよい。第２の受信機は、加えて、次のＴＤＭＡフレーム内でのデータ受信に先立って、近隣セル測定または基地局識別コード（ＢＳＩＣ）デコードアクティビティを行ってもよい。故に、移動局マルチスロットクラスのために定義された切替時間は、周波数ホッピングが、ＴＤＭＡ通信フレームあたり８つのダウンリンクスロットを使用可能にするために使用される時、ゼロまたはほぼゼロに短縮することができる。したがって、次のフレームの間、デュアル無線受信機機器１４および１６の役割は、留保される。
【００１９】
モバイルデバイス１０が、ＤＬＤＣモードにおいて、ネットワークと動作している時、受信されたデータ量、ひいては、モバイルデバイス１０によって処理されなければならないデータの量は、増加される。故に、モバイルデバイス１０の通信システムは、ＴＤＭＡフレームあたりある数のタイムスロット（例えば、１６）上で通信を受信可能であり得るが、モバイルデバイス１０の処理システムは、データをタイムリーに処理することが不可能であり得る。故に、以下にさらに詳細に説明されるように、モバイルデバイス１０は、減少数のスロットが、ＤＬＤＣモードで動作する時、使用されるはずであることをネットワークに信号伝達してもよい。
【００２０】
例証される実施例では、無線受信機機器１４、１６のうちの少なくとも１つは、モバイルデバイス１０が、データを伝送することができるように、送信機を備える。他の実施形態では、無線受信機機器１４、１６はそれぞれ、受信機および送信機の両方、または送受信機を含有する。このように、モバイルデバイス１０は、伝送、ならびに異なる周波数において、同時に、受信可能であってもよいことが理解され得る。
【００２１】
モバイルデバイス１０は、送受信機局のネットワークを通して、他のモバイルデバイス１０またはコンピュータシステムと通信するための能力を含む、高度データ通信能力を伴う、双方向通信デバイスであることができる。モバイルデバイス１０はまた、音声通信を可能にする能力を有してもよい。モバイルデバイス１０によって提供される機能性に応じて、データメッセージングデバイス、双方向ポケベル、データメッセージング能力を伴う携帯電話、無線インターネット機器、またはデータ通信デバイス（電話能力の有無を問わず）と称されてもよい。モバイルデバイス１０はまた、ホストシステムからモバイルデバイス１０にプッシュされた情報の全形態を継続的にルーティングするために構成される、システム内で使用されるものであることができる。
【００２２】
モバイルデバイス１０のための例示的構成は、図２に例証される。最初に、図２を参照すると、モバイルデバイス１０の例示的実施形態のブロック図が示される。モバイルデバイス１０は、モバイルデバイス１０の全体的動作を制御する、メインプロセッサ１０２等、いくつかの構成要素を備える。データおよび音声通信を含む、通信機能は、通信サブシステム１０４を通して、行われる。通信サブシステム１０４は、無線ネットワーク２０からデータを受信し、そこにデータを送信する。モバイルデバイス１０の本例示的実施形態では、通信サブシステム１０４は、世界中で使用される、ＧＳＭ（登録商標）およびＧＰＲＳ規格に従って構成される。同等に適用可能な他の通信構成は、例えば、前述のように、進化型ＥＤＧＥまたはＥＤＧＥエボリューションである。新しい規格も、依然として、定義されているが、本明細書に説明されるネットワーク挙動と類似性を有するであろうと考えられ、また、本明細書に説明される実施形態が、将来開発される任意の他の好適な規格を使用することが意図されることは、当業者によって理解されるであろう。通信サブシステム１０４を無線ネットワーク２０と接続する無線リンクは、ＧＳＭ（登録商標）／ＧＰＲＳ通信のために指定される、定義されたプロトコルに従って動作する、１つ以上の異なる無線周波数（ＲＦ）チャネルを表す。
【００２３】
メインプロセッサ１０２はまた、ランダムアクセスメモリ（ＲＡＭ）１０６、フラッシュメモリ１０８、ディスプレイ１１０、補助入力／出力（Ｉ／Ｏ）サブシステム１１２、データポート１１４、キーボード１１６、スピーカ１１８、マイクロホン１２０、ＧＰＳ受信機１２１、短距離通信１２２、および他のデバイスサブシステム１２４等、付加的サブシステムと相互作用する。以下に論じられるように、短距離通信１２２は、比較的に短距離、例えば、１つのデバイスから別のデバイスに、直接、通信可能である、任意の好適なまたは望ましいデバイス間またはピアツーピア通信プロトコルを実装することができる。実施例として、Ｂｌｕｅｔｏｏｔｈ（登録商標）、アドホックＷｉＦｉ、赤外線、または利用可能な短距離構成要素を利用するように再構成された任意の「長距離」プロトコルが挙げられる。したがって、短距離通信１２２は、短距離シナリオにおいて、デバイスとエンティティとの間に、通信プロトコルを実装可能にする、任意のハードウェア、ソフトウェア、または両方の組み合わせを表してもよいことが理解され、そのようなプロトコルは、標準的または専用である。
【００２４】
モバイルデバイス１０のサブシステムのうちのいくつかは、通信関連機能を果たす一方、他のサブシステムは、「常駐」またはデバイス搭載機能を提供してもよい。一例として、ディスプレイ１１０およびキーボード１１６は、ネットワーク２０を介して伝送するためのテキストメッセージの入力等の通信関連機能と、計算機またはタスクリスト等のデバイス常駐機能の両方のために使用されてもよい。
【００２５】
モバイルデバイス１０は、要求されたネットワーク登録またはアクティブ化プロシージャが、完了した後、無線ネットワーク２０を介して、通信信号を送信および受信することができる。ネットワークアクセスは、モバイルデバイス１０の加入者またはユーザと関連付けられる。加入者を識別するために、モバイルデバイス１０は、加入者識別モジュール（ＳＩＭ）、リムーバブルユーザ識別モジュール（ＲＵＩＭ）、およびユニバーサル加入者識別モジュール（ＵＳＩＭ）等の加入者モジュール構成要素または「スマートカード」１２６を使用してもよい。示される実施例では、ＳＩＭ／ＲＵＩＭ／ＵＳＩＭ１２６は、ネットワークと通信するために、ＳＩＭ／ＲＵＩＭ／ＵＳＩＭインターフェース１２８に送信されることになっている。構成要素１２６を伴わない場合、モバイルデバイス１０は、無線ネットワーク２０との通信に対して、完全に動作可能ではない。ＳＩＭ／ＲＵＩＭ／ＵＳＩＭ１２６が、ＳＩＭ／ＲＵＩＭ／ＵＳＩＭインターフェース１２８に挿入されると、メインプロセッサ１０２に連結される。
【００２６】
モバイルデバイス１０は、典型的には、バッテリ駆動デバイスであって、本実施例では、１つ以上の再充電可能バッテリ１３０を受容するためのバッテリインターフェース１３２を含む。少なくともいくつかの実施形態では、バッテリ１３０は、内蔵されたマイクロプロセッサを伴う、スマートバッテリであることができる。バッテリインターフェース１３２は、バッテリ１３０が、電力Ｖ＋をモバイルデバイス１０に提供するのを補助する、調整器（図示せず）に連結される。本技術は、バッテリを利用するが、マイクロ燃料電池等の将来の技術が、電力をモバイルデバイス１０に提供してもよい。
【００２７】
モバイルデバイス１０はまた、以下により詳細に説明される、オペレーティングシステム１３４およびソフトウェア構成要素１３６から１４６を含む。メインプロセッサ１０２によって実行される、オペレーティングシステム１３４およびソフトウェア構成要素１３６から１４６は、典型的には、代替として、読取専用メモリ（ＲＯＭ）または類似記憶要素（図示せず）であってもよい、フラッシュメモリ１０８等の永続記憶装置内に記憶される。当業者は、具体的デバイスアプリケーション等のオペレーティングシステム１３４およびソフトウェア構成要素１３６から１４６の部分、またはその一部が、一時的に、ＲＡＭ１０６等の揮発性記憶装置にロードされてもよいことを理解するであろう。他のソフトウェア構成要素もまた、当業者に周知のように、含まれることができる。
【００２８】
データおよび音声通信アプリケーションを含む、基本的デバイス動作を制御する、ソフトウェアアプリケーション１３６のサブセットは、その製造の際、モバイルデバイス１０にインストールされてもよい。ソフトウェアアプリケーションは、メッセージアプリケーション１３８、デバイス状態モジュール１４０、個人情報マネージャ（ＰＩＭ）１４２、接続モジュール１４４およびＩＴポリシーモジュール１４６、高速ダウンリンク周波数切替モジュール１４８、ならびにＤＬＤＣ減少信号モジュール１５０を含んでもよい。メッセージアプリケーション１３８は、モバイルデバイス１０のユーザに、電子メッセージを送信および受信させる、任意の好適なソフトウェアプログラムであることができ、メッセージは、典型的には、モバイルデバイス１０のフラッシュメモリ１０８内に記憶される。デバイス状態モジュール１４０は、永続性を提供する、すなわち、デバイス状態モジュール１４０は、モバイルデバイス１０が、オフにされる、または電力を喪失時、データが喪失されないように、重要なデバイスデータが、フラッシュメモリ１０８等の永続メモリ内に記憶されることを確実にする。ＰＩＭ１４２は、電子メール、テキストメッセージ、インスタントメッセージ、連絡先、カレンダーイベント、および音声メール等であるが、それらに限定されない、ユーザの関心を引くデータアイテムを編成および管理するための機能性を含み、無線ネットワーク２０と相互作用してもよい。接続モジュール１４４は、モバイルデバイス１０が、インターフェースをとる権限を与えられた企業システム等、モバイルデバイス１０が、無線インフラストラクチャおよび任意のホストシステム２５と通信するために要求される、通信プロトコルを実装する。ＩＴポリシーモジュール１４６は、ＩＴポリシーをエンコードする、ＩＴポリシーデータを受信し「ＳｅｔＭａｘｉｍｕｍＰａｓｓｗｏｒｄＡｔｔｅｍｐｔｓ」ＩＴポリシー等、ルールの編成およびセキュア化に関与してもよい。
【００２９】
例証される実施例の高速ダウンリンク周波数切替モジュール１４８が、通信サブシステム１０４の動作を制御することによって、モバイルデバイス１００は、複数の受信機（例えば、図１に示されるように、デュアル無線受信機機器１４および１６）を周波数ホッピングを使用する単一キャリアと併用し、切替時間を短縮可能となる。特に、２つの受信機が存在する時（例えば、ＤＬＤＣ対応モバイルデバイスにおいて）、例示的高速ダウンリンク周波数切替モジュール１４８は、第２の受信機に、例えば、近隣セル測定が必要とされない時、第１の受信機が、現在の周波数上でデータを受信している間、近隣セル測定を行わせ、近づきつつある周波数に同調させる。代替として、高速ダウンリンク周波数切替モジュール１４８は、第２の受信機に、近隣セル測定を行うことなく、近づきつつある周波数に同調させてもよい。故に、ネットワークが、近づきつつある周波数にホッピングすると、モバイルデバイス１００は、第１の受信機が、新しい周波数に同調するのを待機することなく、第２の受信機を使用して、データを直ぐに受信することができる。続いて、第１の受信機は、次のホッピングのために準備することができ、サイクルは、継続する。高速ダウンリンク周波数切替モジュール１４８を実装するための例示的プロセスは、図３の流れ図と併せて説明される。
【００３０】
例証される実施例のＤＬＤＣ減少信号モジュール１５０は、ネットワークに、モバイルデバイス１００のためのタイムスロット値の減少を信号伝達する。タイムスロット値の減少は、ＤＬＤＣモード動作の（すなわち、受信機のそれぞれを使用して、タイムスロットの最大数を受信する（例えば、タイムスロットの２倍））間、付加的タイムスロットの受信のため、モバイルデバイス１００の減少された能力を信号伝達するために使用される。タイムスロット値の減少は、関連付けられたマルチスロットクラスに対するタイムスロットの最大数が、モバイルデバイス１００のタイムスロット能力を判定するために減少されなければならない数である。例えば、モバイルデバイス１００に割り当てられたマルチスロットクラスが、モバイルデバイスが、受信機あたりのフレームあたり最大８つのタイムスロットをサポートすることができ、モバイルデバイスが、フレームあたり１６のタイムスロットの理論最大値を有するために、２つの受信機を使用することを示す時、ＤＬＤＣ減少信号モジュール１５０は、モバイルデバイス１００が、フレームあたり１２（１６-４＝１２）のタイムスロットのみ処理可能であるため（例えば、デコードまたは処理オーバーヘッドのため）タイムスロット値の減少が、４であるとを判定してもよい。例証される実施例のＤＬＤＣ減少信号モジュール１５０は、モバイルデバイス１００の能力が、各モードにおいて異なり得るため、モバイルデバイスの非ＥＦＴＡ動作モードのためのタイムスロット値の第１の減少およびモバイルデバイスのＥＦＴＡ動作モードのためのタイムスロット値の第２の減少を送信し、ネットワークに、各動作モードにおけるモバイルデバイス１００の能力の表示を提供する。ＤＬＤＣ減少信号モジュール１５０を実装するための例示的プロセスは、図５の流れ図と併せて説明される。
【００３１】
他のタイプのソフトウェアアプリケーションまたは構成要素１３９もまた、モバイルデバイス１０にインストールすることができる。これらのソフトウェアアプリケーション１３９は、事前にインストールされたアプリケーション（すなわち、メッセージアプリケーション１３８以外）、またはモバイルデバイス１０の製造後、追加される、第三者アプリケーションであることができる。第三者アプリケーションの実施例として、ゲーム、計算機、ユーティリティ等が挙げられる。付加的アプリケーション１３９は、無線ネットワーク２０、補助Ｉ／Ｏサブシステム１１２、データポート１１４、短距離通信サブシステム１２２、または任意の他の好適なデバイスサブシステム１２４のうちの少なくとも１つを通して、モバイルデバイス１０にロードすることができる。
【００３２】
データポート１１４は、モバイルデバイス１０と別のコンピューティングデバイスとの間のデータ通信を可能にする、任意の好適なポートであることができる。データポート１１４は、シリアルまたはパラレルポートであることができる。いくつかの事例では、データポート１１４は、データ転送のためのデータラインと、モバイルデバイス１０のバッテリ１３０を充電するための充電電流を提供することができる、供給ラインと、を含む、ＵＳＢポートであることができる。
【００３３】
音声通信の場合、受信された信号は、スピーカ１１８に出力され、伝送のための信号が、マイクロホン１２０によって生成される。音声またはオーディオ信号出力は、主に、スピーカ１１８を通して達成されるが、ディスプレイ１１０はまた、発呼者の識別、音声呼の持続時間、または他の音声呼関連情報等、付加的情報を提供するために使用することができる。
【００３４】
電子メールメッセージ等のデータアイテムを構成するために、例えば、ユーザまたは加入者は、可能性として、補助Ｉ／Ｏサブシステム１１２に加え、タッチスクリーンディスプレイ２８の一部である、ディスプレイ３２上のタッチセンサ式オーバーレイ３４を使用し得る。補助Ｉ／Ｏサブシステム１１２は、マウス、トラックボール、赤外線指紋検出器、または動的ボタン押下能力を伴うローラホイール等のデバイスを含んでもよい。
【００３５】
移動局１００によって行われ得る、例示的プロセスを表す流れ図は、図３および５に示される。これらの実施例では、各流れ図によって表されるプロセスは、（ａ）図２の例示的モバイルデバイス１００に示されるメインプロセッサ１０２等のプロセッサ、（ｂ）コントローラ、および／または（ｃ）デジタル信号プロセッサ（ＤＳＰ）等の任意の他の好適なデバイスによる実行のための機械可読命令を備える、１つ以上のプログラムによって実装されてもよい。１つ以上のプログラムは、例えば、フラッシュメモリ、ＣＤ-ＲＯＭ、フロッピー（登録商標）ディスク、ハードドライブ、ＤＶＤ、またはメインプロセッサ１０２と関連付けられたメモリ等の有形媒体上に記憶される、ソフトウェア内に具現化されてもよいが、プログラム全体あるいは複数のプログラムおよび／またはその一部は、代替として、メインプロセッサ１０２以外のデバイスによって実行される、および／またはファームウェアまたは専用ハードウェア内に具現化され得る（例えば、特定用途向け集積回路（ＡＳＩＣ）、プログラマブル論理デバイス（ＰＬＤ）、フィールドプログラマブル論理デバイス（ＦＰＬＤ）、離散論理等によって実装される）。
【００３６】
例えば、高速ダウンリンク周波数切替モジュール１４８およびＤＬＤＣ減少信号モジュール１５０の一部または全部、あるいは、ついでに言えば、図１に示される機能のいずれも、ソフトウェア、ハードウェア、および／またはファームウェアの任意の組み合わせによって実装され得る。また、図３および５の流れ図によって表されるプロセスの一部または全部は、相互に実装されてもよい。さらに、例示的プロセスは、図３および５に例証される流れ図を参照して説明されるが、本明細書に説明される例示的方法および装置を実装するための多くの他の技法が、代替として、使用されてもよい。例えば、図３および５に例証される流れ図を参照すると、ブロックの実行の順序は、変更されてもよく、および／または説明されるブロックのいくつかは、変更、排除、組み合わせ、および／または複数のブロックに細分割されてもよい。
【００３７】
図３は、図２の高速ダウンリンク周波数切替モジュール１４８を実装するために使用され得る、例示的プロセスを例証する、流れ図である。図３の例示的流れ図は、モバイルデバイス１００の通信サブシステム１０４の第１の受信機が、ネットワークから、第１の同調された周波数上でデータを受信することによって開始する（ブロック３０２）。例証される実施例によると、モバイルデバイス１００は、ＤＬＤＣをサポートするが、ネットワークは、単一キャリア周波数ホッピングモードで動作しており、したがって、モバイルデバイス１００のデュアル受信機能力は、単一キャリアモードによって利用することができる。モバイルデバイス１００の第１の受信機が、データを受信している間、高速ダウンリンク周波数切替モジュール１４８は、第２の受信機に、近隣セル測定を行わせる（ブロック３０４）。例えば、第２の受信機は、周波数ホッピングが、第２の受信機が、近隣セル測定を完了し、次の周波数に同調するために十分な時間を伴って生じる直前に、近隣セル測定を行ってもよい。
【００３８】
近隣セル測定が完了後（ブロック３０４）、高速ダウンリンク周波数切替モジュール１４８は、第２の受信機に、ネットワークが、ホッピングするであろう、次の周波数に同調させる（ブロック３０６）。例えば、ネットワークの周波数ホッピング方式は、ルックアップテーブル、次の周波数を判定するための所定の式、ネットワークからの周波数の通信等のうちの１つ以上によって、モバイルデバイス１００に既知となってもよい。第２の受信機が同調され（ブロック３０６）、ネットワークが次の周波数にホッピングすると、第２の受信機は、同調された周波数上でデータの受信を開始する（ブロック３０８）。故に、周波数ホッピングの両側でのデータの受信間に達成されるべき同調遅延に対する要件は、殆どまたは全くない。したがって、周波数ホッピングが、ネットワーク内で使用される時でも、モバイルデバイス１００は、各ＴＤＭＡフレーム内の受信タイムスロットの最大数をサポートすることができる（例えば、ＴＤＭＡフレームあたり８つのタイムスロット）。
【００３９】
第２の受信機が、データを受信している間（ブロック３０８）、高速ダウンリンク周波数切替モジュール１４８は、第１の受信機に、近隣セル測定を行わせ（ブロック３１０）、次の周波数に同調させ（ブロック３１２）、周波数ホッピングに備えさせる。故に、モバイルデバイス１００は、第１の受信機と第２の受信機との間を交互に循環する。
【００４０】
図３の流れ図は、連続的に行われるプロセスの例証であるが、図３によって例証されるプロセスは、並行して行われてもよい。例えば、第１の受信機が、同調された周波数上でデータを受信しているのと同時に（ブロック３０２）、第２の受信機は、近隣セル測定周波数への同調、近隣セル測定の実施（ブロック３０４）、および／または次の周波数への同調のうちの１つ以上を行っていてもよい（ブロック３０６）。同様に、第２の受信機が、次の周波数上でデータを受信している間（ブロック３０８）、第１の受信機は、近隣セル測定周波数への同調、近隣セル測定の実施（ブロック３１０）、および／または次の周波数への同調のうちの１つ以上を行っていてもよい（ブロック３１２）。代替として、ブロックの任意の他の配列およびタイミングが、使用されてもよい。例えば、ブロックのうちのいくつかは、連続して行われてもよく、ブロックのうちのいくつかは、並行して行われてもよい。
【００４１】
付加的ブロックが、図３に例証されるプロセスに含まれてもよい。例えば、高速ダウンリンク周波数切替モジュール１４８は、加えて、ネットワークに、モバイルデバイス１００が、高速ダウンリンク周波数切替をサポートすることを信号伝達してもよい。例えば、高速ダウンリンク周波数切替モジュール１４８は、ネットワークに、３ＧＰＰＴＳ２４．００８について、以下に例証されるような高速ダウンリンク周波数切替能力ビットを含む、ＭＳ無線アクセス能力情報要素を伝送してもよい。
【００４２】
【表１】
0005485471.tif 000002
代替として、高速ダウンリンク周波数切替モバイル１４８は、他の方法において、タイムスロットの最大数を受信する能力を信号伝達し得る。例えば、高速ダウンリンク周波数切替モジュール１４８は、代替ＥＦＴＡクラスが、単一キャリア動作に適用されるが、ＤＬＤＣに適用されないことを規定し得、高速ダウンリンク周波数切替モジュール１４８は、タイムスロットの最大数が、使用され得ることを示し、また、タイムスロットの最大数を単一キャリア内で使用させるが、デュアルキャリア動作におけるＥＦＴＡのために、タイムスロットの数をＤＬＤＣ減少だけ減少させるように、ＥＦＴＡのためのＤＬＤＣ減少を示し得る、または代替ＥＦＴＡクラスは、受信タイムスロットの最大数が、ＤＬＤＣ構成において、キャリアあたりの減少数の受信タイムスロットにマップするように、定義され得る。説明されるアプローチは、全ＤＬＤＣ状況に適用され得る、または周波数ホッピングが、少なくとも１つのキャリア上または個別のキャリア上で使用される時のみ適用され得る。例えば、あるキャリアが、周波数ホッピングを使用するが、他は、使用しない場合、モバイルデバイス１００は、非ホッピングキャリア上でタイムスロットの最大数（例えば、８つの受信タイムスロット）を、ホッピングキャリア上でより少ないタイムスロット（例えば、７つの受信タイムスロット）をサポート可能であってもよい。
【００４３】
図４は、例示的第１の受信機４０２および第２の受信機４０４（例えば、モバイルデバイス１００の通信サブシステム１０４の受信機）の受信関係を例証する。例証される実施例によると、第１の受信機４０２は、第１の時間周期４０６の間、データを受信している。少なくとも部分的に、第１の時間周期４０６と重複する、第２の時間周期４０８の間、第２の受信機４０４は、近隣セル測定を行い、ネットワークがホッピングするであろう次の周波数に同調する。第１の時間周期４０６は、ネットワークが、新しい周波数にホッピングすると終了する。ネットワークが、新しい周波数にホッピングすると、第２の受信機は、時間周期４１０の間、データの受信を開始する。例証される実施例に示されるように、第２の受信機は、時間周期４０６の間、近隣セル測定および同調を行うため、時間周期４０６が終了すると、第２の受信機４１０は、直ぐにまたはほぼ直ぐに、データの受信を開始することができる。
【００４４】
一例として、表１は、本明細書に説明されるシステムおよび方法のいくつかの実装が、モバイルデバイス１００（例えば、単一無線周波数チャネル上の単一ＴＤＭＡフレーム内で最大８つのタイムスロットを受信可能）が、隣接するセル信号レベル測定を行い、ネットワークが、周波数ホッピングを使用する時でも、ゼロに設定されるべきデータの受信に備えるために必要とされる時間を反映するパラメータを有効にすることができることを示す。表１は、３ＧＰＰ  ＴＳ４５．００２から適応される。表中、Ｒｘは、ＭＳがＴＤＭＡフレームあたり使用することができる、受信タイムスロットの最大数を説明し、Ｔｘは、ＭＳがＴＤＭＡフレームあたり使用することができる、伝送タイムスロットの最大数を説明し、Ｓｕｍは、実際に、ＴＤＭＡフレームあたりＭＳによって使用することができる（単一キャリア構成において）、アップリンク（ｕ）およびダウンリンク（ｄ）ＴＳの総数であって、Ｔｔａは、ＭＳが、隣接するセル信号レベル測定を行い、伝送に備えるために必要とされる時間に関し、Ｔｔｂは、ＭＳが、データの伝送に備えるために必要とされる時間に関し、Ｔｒａは、ＭＳが、隣接するセル信号レベル測定を行い、受信に備えるために必要とされる時間に関し、Ｔｒｂは、ＭＳが、データの受信に備えるために必要とされる時間に関する。類似実装は、８タイムスロット未満の受信が可能な他のマルチスロットクラス移動局に適用されてもよい。
【００４５】
【表２−１】
0005485471.tif 000003
【００４６】
【表２−２】
0005485471.tif 000004
表１の実施例では、本明細書に開示されるシステムおよび方法によると、モバイルデバイス１００が、隣接するセル信号レベル測定またはＢＳＩＣデコードを行い、データ（Ｔｒａ）の受信に備えるために必要とされる時間を反映するパラメータは、そのような測定またはＢＳＩＣデコードおよび準備が、第１の受信機のための受信タイムスロットの間、第２の受信機によって行われる時、マルチスロットクラス２４-２９に対して、ゼロであってもよい。現在の規格によると、測定またはＢＳＩＣデコードは、表２（注記１および２参照）に従って、７または８つのダウンリンクタイムスロットが割り当てられる（周波数ホッピングが適用されるかどうかに関わらず）、モバイルデバイスには求められない。
【００４７】
【表３−１】
0005485471.tif 000005
【００４８】
【表３−２】
0005485471.tif 000006
Ｔｒｂは、測定が行われない時の効果的切替時間を反映する一方、Ｔｒａは、ＭＳが、隣接するセル信号レベル測定を行い、受信に備えるために必要とされる時間を反映する。現在の規格によると、移動局は、ネットワークによって、あるマルチスロット構成（例えば、Ｔｒａの代わりに、Ｔｒｂが適用可能であるもの）が割り当てられたまたは配分される時、隣接するセル信号レベル測定を行うように求められない。また、ＢＳＩＣデコードは、いくつかの他のマルチスロット構成に対して不可能であり得る。しかしながら、前述のように、本明細書に開示されるシステムおよび方法によると、近隣セル測定および／またはＢＳＩＣデコードおよび／または同調は、第１の受信機上でのデータの受信と並行して、第２の受信機上で行われる。故に、関連マルチスロット構成のためのＴｒａパラメータの可用性または値に関わらず、近隣セル測定および／またはＢＳＩＣデコードおよび／または近隣セル測定同調は、表２の注記１および注記２に従って、第１の受信機上でのデータの受信と並行して、第２の受信機上で行われてもよい一方、受信タイムスロットの最大数が、利用可能であってもよい（例えば、ＴＤＭＡフレームあたり８つ受信タイムスロット）。
【００４９】
図５は、図２のＤＬＤＣ減少信号モジュール１５０を実装するための例示的プロセスを例証する、流れ図である。図５の例示的流れ図は、モバイルデバイス１００が、接続を通信ネットワークと確立することによって開始する（ブロック５０２）。例えば、モバイルデバイス１００は、移動性管理ＡＴＴＡＣＨ要求をネットワークに送信し、およびＡＣＣＥＰＴ応答で応答してもよい。代替として、いくつかのプロセスのいずれも、ある時点において、モバイルデバイス１００が、モバイルデバイス１００の能力のネットワークへの通信を始めるまで、モバイルデバイス１００によって行われてもよい。ＤＬＤＣ減少信号モジュール１５０は、次いで、モバイルデバイス１００に、信号伝達されたマルチスロットクラスに対する受信タイムスロットの最大数（本明細書では、Ｘと称される）を判定させる（ブロック５０４）。例えば、表３は、モバイルデバイスが、信号伝達されたマルチスロットクラス３３を制限する時、ダウンリンクタイムスロットの最大数は、１０であることを示す。ＤＬＤＣ減少信号モジュール１５０は、次いで、デバイスによってサポートされる受信タイムスロットの最大数（Ｙと称される）を判定する（ブロック５０６）。例えば、ＤＬＤＣ減少信号モジュール１５０は、信号伝達されたマルチスロットクラス３３に対するダウンリンクタイムスロットの最大数が１０であることに関わらず、モバイルデバイス１００の処理能力が、８つの受信タイムスロットを処理するようにデバイスを限定することを判定してもよい。
【００５０】
ＤＬＤＣ減少信号モジュール１５０は、次いで、代替ＥＦＴＡマルチスロットクラスが、信号伝達された、または信号伝達されるべきかどうかを判定する（ブロック５０８）。代替ＥＦＴＡマルチスロットクラスが、信号伝達された、または信号伝達されるべき時、ＤＬＤＣ減少信号モジュール１５０は、ＥＦＴＡのための代替マルチスロットクラスに対する受信タイムスロットの最大数（Ａと称される）を判定する（ブロック５１０）。代替として、代替ＥＦＴＡマルチスロットクラスが、信号伝達されていない時、ＤＬＤＣ減少信号モジュール１５０は、信号伝達されたマルチスロットクラスに対する受信タイムスロットの最大数（Ａと称される）を判定する（または、ブロック５０４において判定された値を使用する）（ブロック５１２）。ＤＬＤＣ減少信号モジュール１５０は、次いで、ＥＦＴＡ動作の間、モバイルデバイス１００によってサポートされる受信タイムスロットの最大数（Ｂと称される）を判定する（ブロック５１４）。別の実装では、ブロック５１４は、５１２ではなく、直接、ブロック５１０から続き、制御は、次いで、ブロック５１６に進んでもよい。そのような実装では、ブロック５１８は、代替ＥＦＴＡマルチスロットクラスが、信号伝達されない時、行われなくてもよく、制御は、代わりに、ブロック５１６に進んでもよい。
【００５１】
ＤＬＤＣ減少信号モジュール１５０は、次いで、ＹをＸから減算することによって、非ＥＦＴＡ減少値を計算する（ブロック５１６）。言い換えると、ＤＬＤＣ減少信号モジュール１５０は、デバイスによってサポートされる受信タイムスロットの最大数を信号伝達されたマルチスロットクラスに対する受信タイムスロットの最大数から減算し、非ＥＦＴＡ減少値を判定する。
【００５２】
ＤＬＤＣ減少信号モジュール１５０は、次いで、ブロック５０４-５１４のうちの１つ以上において判定された値に基づいて、ＥＦＴＡ減少値を判定する。例えば、ＤＬＤＣ減少信号モジュール１５０は、ＢをＡから減算することによって、ＥＦＴＡ減少値を判定してもよい（ブロック５１８Ａ）。言い換えると、ＤＬＤＣ減少信号モジュール１５０は、ＥＦＴＡ動作の間のデバイスに対する受信タイムスロットの最大数を代替ＥＦＴＡマルチスロットクラスに対する最大タイムスロットから減算し、ＥＦＴＡ減少値を判定してもよい。代替として、ＤＬＤＣ減少信号モジュール１５０は、Ａ-（Ｘ-Ｙ）-Ｂを計算することによって、ＥＦＴＡ減少値を判定してもよい。言い換えると、ＤＬＤＣ減少信号モジュールは、ＥＦＴＡ動作の間のデバイスに対する非ＥＦＴＡ減少値および受信タイムスロットの最大数を代替ＥＦＴＡマルチスロットクラスに対する受信タイムスロットの最大数から減算し、ＥＦＴＡ減少値を判定してもよい。
【００５３】
非ＥＦＴＡ減少値（ブロック５１６）およびＥＦＴＡ減少値（ブロック５１８）を算出後、ＤＬＤＣ減少信号モジュール１５０は、モバイルデバイス１００に、非ＥＦＴＡ減少値およびＥＦＴＡ減少値を含む、ＭＳ無線アクセス能力情報をネットワークに送信させる（ブロック５２０）。代替として、任意の他のタイプの情報要素またはメッセージが、使用され得る。故に、ネットワーク要素は、非ＥＦＴＡ減少値およびＥＦＴＡ減少値を利用して、例えば、３ＧＰＰＴＳ４５．００２に定義されるように、減少値を信号伝達されたクラスに対する最大値から減算することによって、モバイルデバイス１００の能力を判定することができる。
【００５４】
【表４】
0005485471.tif 000007
例えば、３ＧＰＰＴＳ２４．００８に基づく、ＥＦＴＡ減少値をネットワークに伝送するための例示的情報要素は、以下に示される。本情報要素は、実施例として提供され、他の実装が使用されてもよい。
【００５５】
【表５】
0005485471.tif 000008
ＤＬＤＣ減少信号モジュール１５０は、代替として、ネットワークに、非ＥＦＴＡ減少値およびＥＦＴＡ減少値の組み合わせを使用して、ＥＦＴＡのための縮小された受信能力を信号伝達してもよい。例示的実装は、表４に例証される。表４内の値は、サポートするネットワークおよびモバイルデバイス１００によって、取り決められる。表４内の値は、更新された構成をサポートしないネットワークが、不必要に、ＥＦＴＡにおける動作を縮小しないように選択される（例えば、レガシー非ＥＦＴＡ減少値（ダウンリンクデュアルキャリアのためのマルチスロット能力減少）は、ゼロである）。しかしながら、表４内の値は、実施例として提供され、他の実装も可能である。
【００５６】
表４に示されるように、モバイルデバイスが、ＥＦＴＡ減少値（例えば、ＥＦＴＡに対する付加的ダウンリンクデュアルキャリアのためのマルチスロット能力減少）を省略する時、ネットワークは、モバイルデバイス１００のための信号伝達されたマルチスロットクラスに対する受信タイムスロットの最大数から、非ＥＦＴＡ減少値（例えば、ダウンリンクデュアルキャリアのためのマルチスロット能力減少）を引いたものとして（例えば、Ｎ-２）、減少値を認識するであろう。代替として、モバイルデバイス１００が、信号伝達されたマルチスロットクラスに対する受信タイムスロットの最大数より多くの受信タイムスロットをサポートすることができる時、ＤＬＤＣ減少信号モジュール１４８は、モバイルデバイス１００に、非ＥＦＴＡ減少値をゼロとして送信させ、適宜、ＥＦＴＡ減少値を設定させるであろう。受信された値に基づいて、ネットワークは、代替ＥＦＴＡマルチスロットクラスに適用可能な受信タイムスロットの最大数から、ＥＦＴＡ減少値を引いたものとして、減少値を認識するであろう。
【００５７】
【表６】
0005485471.tif 000009
図６は、表４に例証されるアプローチに従って、ＤＬＤＣ減少信号モジュール１５０を実装するための例示的プロセスを表す、流れ図である。ＤＬＤＣ減少信号モジュール１５０が、ネットワークに、モバイルデバイス１００の受信タイムスロット能力を信号伝達すべき時を判定すると、図６の流れ図は、ＤＬＤＣ減少信号モジュール１５０が、モバイルデバイス１００が、信号伝達されたマルチスロットクラスに対する受信タイムスロットの最大数より多くサポートするかどうか判定することによって開始する（ブロック６０２）。例えば、信号伝達されたマルチスロットクラスは、１０の受信タイムスロットがサポートされることを示してもよいが、ＤＬＤＣにおいて動作するモバイルデバイスは、代替ＥＦＴＡマルチスロットクラスに対する受信タイムスロットの最大数に従って、例えば、１６の受信タイムスロットをサポートしてもよい。
【００５８】
モバイルデバイスが、信号伝達されたマルチスロットクラスに対する受信タイムスロットの最大数より多くの受信タイムスロットをサポートする時（ブロック６０２）、ＤＬＤＣ減少信号モジュール１５０は、非ＥＦＴＡ減少値（例えば、ダウンリンクデュアルキャリアのためのマルチスロット能力減少）をゼロに設定する（ブロック６０４）。ＤＬＤＣ減少信号モジュール１５０はさらに、ＥＦＴＡ減少値（例えば、ＥＦＴＡのための付加的ダウンリンクデュアルキャリアのためのマルチスロット能力減少）を必要減少値に設定する（ブロック６０６）。例えば、モバイルデバイス１００のための代替ＥＦＴＡマルチスロットクラスに対する受信タイムスロットの最大数が、１６であって、モバイルデバイス１００が、１２の受信タイムスロットのみサポートすることができる場合、ＤＬＤＣ減少信号モジュール１５０は、ＥＦＴＡ減少値を４に設定するであろう。制御は、次いで、以下に説明される、ブロック６１２に進む。例証される実施例によると、付加的ＥＦＴＡ減少値をサポートしない、レガシーネットワーク要素は、ゼロの非ＥＦＴＡ減少値を受信し、したがって、モバイルデバイス１００は、信号伝達されたマルチスロットクラスに対するタイムスロットの最大数をサポートすることができると判定するであろう。
【００５９】
モバイルデバイスが、信号伝達されたマルチスロットクラスに対する受信タイムスロットの最大数より多くの受信タイムスロットをサポートしない時（ブロック６０２）、ＤＬＤＣ減少信号モジュール１５０は、非ＥＦＴＡ減少値を必要減少に設定する（ブロック６０８）。例えば、モバイルデバイスが、最大７つのタイムスロットをサポートすることができ、信号伝達されたマルチスロットクラスに対する受信タイムスロットの最大数が、１０である場合、ＤＬＤＣ減少信号モジュール１５０は、非ＥＦＴＡ減少値を３に設定する。ＤＬＤＣ減少信号モジュール１５０はまた、ＥＦＴＡ減少値を後続情報要素から省略させる（ブロック６１０）。例えば、ＤＬＤＣ減少信号モジュール１５０は、値を情報要素に追加させないことによって、ＥＦＴＡ減少値を省略させてもよい。ＥＦＴＡ減少値を省略することによって、ネットワークに伝送される必要があるデータの量を減少させることができる。代替として、非ＥＦＴＡ減少が使用されるべきネットワークに信号伝達する任意の他の方法が、実装されてもよい。制御は、次いで、ブロック６１２に進む。
【００６０】
ＤＬＤＣ減少信号モジュール１５０が、適切な非ＥＦＴＡ減少値および／またはＥＦＴＡ減少値を判定後（ブロック６０４-６０６および６０８-６１０）、ＤＬＤＣ減少信号モジュール１５０は、非ＥＦＴＡ減少値およびＥＦＴＡ減少値の一方または両方を含む、能力情報要素（例えば、ＭＳ無線アクセス能力情報要素）をネットワークに伝送させる（ブロック６１２）。例証される実施例は、能力情報要素内の非ＥＦＴＡ減少値およびＥＦＴＡ減少値の含有のみ説明するが、例えば、３ＧＰＰＴＳ２４．００８に説明されるデータ等、任意のデータが、含まれてもよい。
【００６１】
表５は、表４と併せて説明されるプローチの代替を例証する。表５内の値は、表４と同一であるが、モバイルデバイス１００が、代替ＥＦＴＡマルチスロットクラスに対する受信タイムスロットの最大数をサポートする場合を除く。この場合、ＤＬＤＣ減少信号モジュール１５０は、非ＥＦＴＡ減少値を「将来利用のための予約」に意図される値に設定し、ＥＦＴＡ減少値を省略してもよい。故に、拡張インジケータをサポートする、ネットワーク要素は、モバイルデバイス１００が、代替ＥＦＴＡマルチスロットクラスに対する受信タイムスロットの最大数をサポートする表示として、そのような値を認識するであろう。代替として、拡張インジケータをサポートしないネットワーク要素（例えば、レガシーネットワーク）は、「将来利用のための予約」値がゼロであると理解し、受信タイムスロットの数をマルチスロットクラスに対するタイムスロットの最大数を下回って減少させないであろう。「将来利用のための予約」値は、ネットワークによって認識され、レガシーネットワークによってゼロであると理解することができる、任意の値であってもよい。例えば、「将来利用のための予約」値は、ビットの組み合わせ１１１であり得る。故に、信号伝達効率は、受信タイムスロットの最大数がサポートされる時、ＥＦＴＡ減少値が伝送されることを要求しないことによって、達成される。「将来利用のための予約」値は、一特定の事例において使用されるように示されるが、「将来利用のための予約」は、他の事例で使用されてもよい。
【００６２】
【表７】
0005485471.tif 000010
前述は、ある具体的実施形態を参照して説明されたが、その種々の修正は、本明細書に添付の請求項の範囲から逸脱することなく、当業者に明白となるであろう。
【図１】
0005485471.tif 000011
【図２】
0005485471.tif 000012
【図３】
0005485471.tif 000013
【図４】
0005485471.tif 000014
【図５】
0005485471.tif 000015
【図６】
0005485471.tif 000016